(57)【要約】本発明は、単一部材の時計バンド（３）の中央部が、挿入を可能としている環状溝（２）を備える底部（１）を特徴とする交換可能な時計バンドを備える時計ケースに関する。蓋部材（４）は、対応する凹陥部（６）に挿入可能なピン（５）からなる噛み合わせ装置を備える前記底部に固定可能である輪からなる。蓋部材が偶然開くことを防止するために、圧縮ジョイント（１０）は、底部に備えられる環状ハウジング（７）に調整される。蓋部材（４）が閉じる場合には、ジョイントが圧縮され、摩擦によって偶発的に開いてしまうことを防止する。本装置は、いかなる道具を用いずに時計バンドを交換することを可能とする。【選択図】図１
2004520588.tif 000002
【特許請求の範囲】
【請求項１】
ブレスレット（３）の一部分が挿入されている少なくとも１つの頚部（２）を備える少なくとも１つの背部（１）と、
前記頚部を覆蓋するとともに、前記ブレスレットをその中で支持する少なくとも１つの蓋部材（４）とを備え、
前記蓋部材（４）は、少なくとも１つの係止する凹陥部に挿入される突出部（５）を有する噛み合わせ装置によって前記背部に結合されることを特徴とするブレスレット付きの時計ケース。
【請求項２】
前記頚部（２）は、環状であり、完全に前記背部の周囲に延在する前記請求項１に記載の交換可能なブレスレット付きの時計ケース。
【請求項３】
少なくとも１つの座部（７）は、縁（８）または前記頚部（２）および/または前記蓋部材の上面（９）、前記縁（８）および前記蓋部材の上面（９）に備えられ、
前記縁（８）および前記上面（９）は、前記座部に配置されるとともに、前記蓋部材（４）がジョイントに対して圧縮するような大きさにされた圧縮ジョイント（１０）によって前記ブレスレットを把持する前記請求項１と２に記載のブレスレット付きの時計ケース。
【請求項４】
前記凹陥部（６）は、連続し、かつ
少なくとも１つの止め具（１１）が、少なくとも１つの前記突出部（５）が、前記蓋部材が閉状態である場合に、前記止め具に接するように、前記凹陥部に配置されている前記請求項１〜３に記載のブレスレット付きの時計ケース。
【請求項５】
前記ブレスレット（３）は、少なくとも部分的に環状頚部（２）に挿入できる形状とされている第１および第２のリストストラップ部の間に占められる環状部（１２）を有する単一部材で形成されている前記請求項１〜４に記載のブレスレット付きの時計ケース。
【発明の詳細な説明】
【技術分野】
【０００１】
本発明は、ブレスレットまたはストラップの時計ケースへの取付けに関し、特に、容易にブレスレットまたはストラップの交換を可能とする装置に関する。
【背景技術】
【０００２】
いくつかの、ブレスレットまたはストラップがケースの２つの部品の間で締め付けられることによって保持される時計ケースの例が知られている。ブレスレットは、ケースの形状に、またはケースの一部の形状に対応する開口部を含む、２つの分離した部品または互いに中央部で接続される２つの部品から構成されている。
【０００３】
例えば、特許Ｎｏ．ＦＲ−５０４．２６７（ルブテル  ワイヤーマン  ＳＡ  Rubattel et Weyermann SA）は、１つの部品からなるブレスレット、文字盤、ケースの中間および配列されたベゼルの間に支持されるブレスレットの開口部の内側縁が露出する円形の開口部を含む長方形のバンド、のある時計を記載している。このようにして、ブレスレットは、ガラスおよび文字盤を除いて、ケース全体を覆っている。同種の他の装置は、特許Ｎｏ．ＦＲ−１．５９８．９８３（エルビン  ピカーズ  Ervin Piquerez）に開示されている。ここで、ブレスレットは、ケースを覆っていない。ブレスレットの中央開口部の縁は、ケースの外形形状に一致しており、ケースの中央部と、中央部の上面にもしくはケースの背部にねじ込まれている輪と、の間に締め付けられている。
【０００４】
他の例としては、特許Ｎｏ．ＣＨ−３４０７８６（バロン  Vallon）またはＣＨ−３５５０９５（ソルナ時計株式会社  Sorna Watch Co.）は、ケースにブレスレットを接合するために、ケースの中央部に備えられた対応する形状の差し入れ口に挿入される「あり継ぎ」形状端を備える２つの独立した部品より形成されるブレスレットを記載している。ブレスレットの部品の端部は、ケース背部によって差し入れ口に支持され、そして、その端部は、ねじで取り付けられるか、または戻り止めによってしっかりと固定される。
【０００５】
以上の装置の第１の目的は、主として審美的な理由で、ブレスレットを固定するための先のとがった部分を必要としないようにすることである。
【０００６】
ケースへのブレスレットの装着またはケースからのブレスレットの脱着は、ねじによる取付け動作であろうと戻り止めによろうとも、かぎまたは道具を必要とし、そして実質的には、専門家による作業を必要とする。これは、真実だからいっそう、上記に引用された例のほとんどにおいて、脱着は、時計の内部の可動部分を露出する。それゆえ公知の装置は、交換可能なブレスレットの多数で売られている時計に適用することはできず、そして、ブレスレットを消費者自身で交換することを認めている。
【０００７】
もちろん、前述の例ととても異なり、使用者が容易にブレスレットを交換できる装置がある。これらは、例えば、特許Ｎｏ．ＣＨ−６８５４６４（ル  マルカンド  Le Marquand）およびＥＵＲ−０７９７１３２（ボルキンとワイザー  Bourquin and Wiser）を含んでいる。これらの装置は、申し分なく機能するけれども、それらは、それにもかかわらず、先のとがった部分または同種の突出部を必要とする。
【発明の開示】
【発明が解決しようとする課題】
【０００８】
本発明は、特別な道具を必要とせず、そして先のとがった部分を備えるケースとする必要がなく、使用者が容易にブレスレットを交換することのできる交換可能なブレスレット付きの時計ケースを提供する。
【０００９】
本発明によれば時計ケースは、ブレスレットの一部分が挿入されている少なくとも１つの頚部２を備える少なくとも１つの背部と、前記頚部を覆蓋するとともに、前記ブレスレットをそこで支持する少なくとも１つの蓋部材４とを備え、前記蓋部材４は、少なくとも１つの係止する凹陥部に挿入される突出部を有する噛み合わせ装置によって前記背部に結合されることを特徴とする。
【００１０】
特別な態様は、前記頚部２が、環状であり、完全に前記背部の周囲に延在するブレスレット付きの時計ケースからなる。
【００１１】
第２の態様は、上記した第１の態様に付け加えて、少なくとも１つの座部７は、頚部２の縁８および/または前記座部に配置されている圧縮ジョイント１０によって前記ブレスレットをきつく取り囲む蓋部材の上面に備えられ、そして、その蓋部材４がジョイントに対して圧縮するような形状にされたブレスレット付きの時計ケースからなる。
【００１２】
第３の態様は、前の態様の１つまたは両方を含み、ブレスレットを備える時計ケースからなる。凹陥部６が、連続し、かつ少なくとも１つの止め具１１は、少なくとも１つの前記突出部５が、前記蓋部材が閉状態である場合に、前記止め具に接するように、前記凹陥部に配置されているブレスレット付きの時計ケースからなる。
【００１３】
第４の態様は、前の態様の１つまたはいずれかを含み、前記ブレスレット３が、少なくとも部分的に環状頚部２に挿入できる形状とされている第１および第２のリストストラップ部の間に占められる環状部１２を有する単一部材で形成されているブレスレット付きの時計ケースからなる。
【発明を実施するための最良の形態】
【００１４】
図中に示されている態様は、本出願人の知識の下において、本発明を実施する最良の形態であると考えられる。この態様において、ブレスレット３は両端が環状部１２によって互いに結合された単一部材である。この環状部は、時計ケースの背部を受けることができる開口部を含む。この背部は、環状頚部２によって左右に結合されている。以下のこの環状頚部は、ここに現された態様においては、背部１のこの部分の周囲全てを通過する凹陥部６である。フランジ１４は、３つの切り欠きを含む凹陥部６下方に形成されている。ブレスレットの環状部１２は、環状頚部２に配置されている。内部に径方向に３つの独立した突出部５が設けられた環状形状の蓋部材は、切り欠き１５を通して凹陥部６に３つの突出部の挿入によって環状頚部２を閉じる。ブレスレットの環状部１２は、それによって、蓋部材４の上面９と頚部２の縁８との間にきつく固定される。凹陥部６に突出部５を固定するために、蓋部材４は、回転し、突出部が左右に動き、完全に、フランジ１４と凹陥部の他の壁１６との間に把持される。蓋部材の回転移動を停止するために、止め具１１が、凹陥部の背面に形成された径孔に打ち込まれる円筒のかぎの形態で示されるように、凹陥部６にしっかりと固定される。
【００１５】
止め具１１は、閉方向に蓋部材４の回転を停止するが、開方向には作用しない。偶発的な開放を避けるために、反対方向に蓋部材のずれを抑制する必要がある。この端には、例えば、蓋部材がブレスレットを圧縮するように、蓋部材の上面９に使われ、摩擦によって生じる圧力は、蓋部材が背部で滑ることを妨げ、わずかにブレスレットの厚さを増加させることが可能である。しかしながら、正確に比例しなければならないそのような圧縮のために、一方で、ブレスレットは、圧縮可能で、および/または、変形可能な材料で、形成されねばならず、他方で、ブレスレットの厚みが非常に正確に設計されなければならない。第１の要求は、金属のブレスレットの場合には適合せず、そして、第２の要求は、実際に達成するにはとても困難である。望まれる圧力およびそれゆえの摩擦の効果を得るために、このケースにおいては、環状に形成された座部７は、回転を抑制する部材、例えば、Ｏリングを保持するために、縁８または頚部２に設けられている。蓋部材４は、ブレスレットの環状部１２を介してジョイント１０を圧縮する。環状部は、それによって、開方向に蓋部材が回転しないように、蓋部材の上面９上に摩擦力を発生させる。もちろん、ジョイント１０の寸法は、その摩擦力が使用者が過度の力を加えることなく、蓋部材を開けることを許容するように、計算される。
【００１６】
径方向の溝１６は、ブレスレットを交換することを望む使用者の指で適当に把持するようにするために、蓋部材のより低い面に形成されていてもよい。
【００１７】
ここにみられるような態様においては、環状の切り欠き１３および１７は、それぞれ背部および蓋部材の上面９に設けられ、そして、時計ケースに対するブレスレットの接合を保護するために、ブレスレット上の対応する形状の突出部がその切り欠きに挿入されるように、互いに対面する。
【００１８】
ここに記載された態様は、先の態様に継続している。他の形態は、しかしながら可能である。例えば、ケースは、例えば、他の天井部に配置された複数の背部を有することができる；接合装置は、複数の環状頚部を有することができる；ブレスレットは２つの分離した部品から形成されることができ、そしてそのケースは２つの頚部を有することができる；その装置は、複数の蓋部材を含むことができ、また、３つの突出部の代わりに１つのみの突出部とすることもでき、そして、その突出部が十分に角張った大きさとしなければならないケースである；最後に、突出部を受ける凹陥部は、連続している代わりに、複数の区画に分割されることもできる。
【００１９】
圧縮ジョイントは、頚部２の縁８の代わりに、蓋部材４の上面９に設けられた座部に配置されることができる。
【００２０】
１つの止め具の代わりに、複数の止め具１１が凹陥部６に配置されることも考えられる。
【産業上の利用可能性】
【００２１】
産業上の利用の可能性は、明らかである。
【図面の簡単な説明】
【００２２】
【図１】図１は、本発明に係るブレスレットを備えるケースの垂直方向の部分的な断面図である。
【図２】図２は、本発明に係る蓋部材の底面図である。
【図３】図３は、本発明に係るケースの背部の底面図である。
【図４】図４は、本発明に係るケースの同一の背部の側面図である。
【図５】図５は、本発明に係る蓋部材の斜視図である。
【図６】図６は、本発明に係る部分的に装着されるブレスレットが組み立てられているブレスレット付きのケースの斜視図である
【図１】
2004520588.tif 000003
【図２】
2004520588.tif 000004
【図３】
2004520588.tif 000005
【図４】
2004520588.tif 000006
【図５】
2004520588.tif 000007
【図６】
2004520588.tif 000008
【国際公開パンフレット】
2004520588.tif 000009
2004520588.tif 000010
2004520588.tif 000011
2004520588.tif 000012
2004520588.tif 000013
2004520588.tif 000014
2004520588.tif 000015
2004520588.tif 000016
2004520588.tif 000017
2004520588.tif 000018
2004520588.tif 000019
【国際調査報告】
2004520588.tif 000020
2004520588.tif 000021
2004520588.tif 000022
2004520588.tif 000023